(57)【特許請求の範囲】
【請求項１】
上方に開口部を有し食器類を収容する洗浄槽と、この洗浄槽を収納自在とする筐体と、前記洗浄槽に固定した第１のレールと、前記筐体に固定し前記第１のレールを前後方向に引き出し可能に支持する第２のレールと、前記洗浄槽内へ給水する給水経路と、前記洗浄槽内の水を排水する排水経路とを備え、前記給水経路と前記排水経路の少なくとも一方を前記筐体内で屈曲させた状態で保持するとともに、前記洗浄槽を、前記洗浄槽の上方開口部が前記筐体からほぼ引き出された位置にて、洗浄槽側に設けた第１の当接部と筐体側に設けた第２の当接部とを係止して、前記筐体内に戻ろうとする力に抗して前記ほぼ引き出された位置にて保持するよう構成した食器洗い機。
【発明の詳細な説明】
【０００１】
【発明の属する技術分野】
本発明は、筐体より洗浄槽を引き出して食器類を収容し、洗浄する食器洗い機に関する。
【０００２】
【従来の技術】
近年、筐体より洗浄槽を引き出して食器類を収容し、洗浄する食器洗い機が主流となっている。
【０００３】
従来、この種の食器洗い機は図５に示すように構成していた。以下、その構成について説明する。
【０００４】
図５に示すように、洗浄槽１は上方に開口部を設け、食器類２を収容する食器かご３を配置している。食器かご３の下方には洗浄ノズル４を回転自在に設けており、洗浄槽１内に溜めた洗浄水をポンプ５によって循環させ、洗浄ノズル４より噴射して食器類２を洗浄する。
【０００５】
洗浄槽１の下方には第１のレール６を固定しており、第１のレール６は筐体７に固定した第２のレール８に前後方向へ平行移動可能に支持されている。食器類２の出し入れを行う際には洗浄槽１を前方へ引き出し、上方の開口部より食器類２を収容する。また、洗浄槽１の下方には洗浄槽１を引き出した際に洗浄槽１の下部を保護するために、保護カバー９を設けている。
【０００６】
食器洗い機を運転する際には、洗浄槽１を筐体７に収納した状態でハンドル１０をロックすることで、運転中の洗浄槽１の動きを保持する。筐体７はシステムキッチン１１内へ事前に設置した支持台１２に支持されている。
【０００７】
また、洗浄槽１の背面には洗浄槽１内へ給水する給水経路１３と洗浄槽１内の水を排水する排水経路１４とを設けており、給水経路１３と排水経路１４は筐体７内で屈曲した状態でそれぞれ片側を洗浄槽１側に固定し、もう一方を筐体７側に固定している。洗浄槽１を引き出した場合は洗浄槽１の動きに対応し、給水経路１３と排水経路１４が牽引される（例えば、特許文献１参照）。
【０００８】
【特許文献１】
特開２００１−０４６３０１号公報
【０００９】
【発明が解決しようとする課題】
このような従来の構成では、食器類２を洗浄槽１内へ収容するために洗浄槽１を引き出したとき、筐体７を支持している支持台１２の傾きや、洗浄槽１の背面に固定されている給水経路１３や排水経路１４の張力により、一旦引き出された洗浄槽１が筐体７内に戻ってしまい、食器類２の収容が困難になる問題があった。
【００１０】
本発明は上記課題を解決するもので、洗浄槽を上方開口部が筐体からほぼ引き出された位置で係止することで、より使い勝手のよい食器洗い機を提供することを目的としている。
【００１１】
【課題を解決するための手段】
本発明は上記目的を達成するために、上方に開口部を有し食器類を収容する洗浄槽を筐体に収納自在とし、洗浄槽に第１のレールを固定し、第１のレールを前後方向に引き出し可能に支持する第２のレールを筐体に固定し、洗浄槽内へ給水する給水経路と、洗浄槽内の水を排水する排水経路とを備えた食器洗い機において、給水経路と排水経路の少なくとも一方を筐体内で屈曲させた状態で保持するとともに、洗浄槽は、上方開口部が筐体からほぼ引き出された位置にて、洗浄槽側に設けた第１の当接部と、筐体側に設けた第２の当接部にて係止するよう構成したものである。
【００１２】
これにより、筐体より洗浄槽を引き出したとき、筐体を支持している支持台の傾きや、洗浄槽の背面に固定されている給水経路や排水経路の張力に影響されることなく、洗浄槽を上方開口部が筐体からほぼ引き出された位置で係止することができるため、食器類の収容を容易に行うことができ、より使い勝手のよい食器洗い機を提供することができる。
【００１３】
【発明の実施の形態】
本発明は、上方に開口部を有し食器類を収容する洗浄槽と、この洗浄槽を収納自在とする筐体と、前記洗浄槽に固定した第１のレールと、前記筐体に固定し前記第１のレールを前後方向に引き出し可能に支持する第２のレールと、前記洗浄槽内へ給水する給水経路と、前記洗浄槽内の水を排水する排水経路とを備え、前記給水経路と前記排水経路の少なくとも一方を前記筐体内で屈曲させた状態で保持するとともに、前記洗浄槽を、前記洗浄槽の上方開口部が前記筐体からほぼ引き出された位置にて、洗浄槽側に設けた第１の当接部と筐体側に設けた第２の当接部とを係止して、前記筐体内に戻ろうとする力に抗して前記ほぼ引き出された位置にて保持するよう構成したものであり、筐体より洗浄槽を引き出したとき、筐体を支持している支持台の傾きや、洗浄槽の背面に固定されている給水経路や排水経路の張力に影響されることなく洗浄槽を上方開口部が筐体からほぼ引き出された位置で係止することができるため、食器類の収容を容易に行うことができ、より使い勝手のよい食器洗い機を提供することができる。
【００１４】
【実施例】
以下、本発明の実施例について、図面を参照しながら説明する。なお、従来例と同じ構成のものは同一符号を付して説明を省略する。
【００１５】
（実施例１）
図１に示すように、保護カバー１５は、洗浄槽１の下方に設け、洗浄槽１を引き出した際に洗浄槽１の下部を保護するもので、この保護カバー１５の底面後部に筐体１６の底面に向かって凸形状となるばね性を有する第１の当接部１７を一体に設けており、洗浄槽１の移動に合わせて第１の当接部１７が前後へ移動可能に構成されている。また、筐体１６ね前部の底面内方には保護カバー１５に設けた第１の当接部１７と当接する第２の当接部１８を一体に設けている。
【００１６】
保護カバー１５に設けた第１の当接部１７は、図２に示すように、洗浄槽１の上方の開口部が筐体１６よりほぼ引き出された状態で、筐体１６に設けた第２の当接部１８より前方に位置するように構成しており、洗浄槽１を筐体１６内へ収納する際、第１の当接部１７と第２の当接部１８は一旦係止し、一定以上の押し力で洗浄槽１を収納することでばね性を有する第１の当接部１７がたわみ、係止状態が解除され、洗浄槽１が筐体１６内へ収納されるよう構成している。他の構成は従来例と同じである。
【００１７】
上記構成において作用を説明すると、食器類２を洗浄槽１内へ収容するために洗浄槽１を引き出したとき、筐体１６を支持している支持台１２の傾きや、洗浄槽１の背面に固定されている給水経路１３や排水経路１４の張力により、一旦引き出された洗浄槽１が筐体１６内に戻ろうとしても、保護カバー１５に設けた第１の当接部１７と筐体１６に設けた第２の当接部１８が当接するため、洗浄槽１を引き出した状態で保持することができ、容易に食器類２を洗浄槽１内へ収容することができる。
【００１８】
このように本実施例によれば、上方に開口部を有し食器類２を収容する洗浄槽１を筐体１６に収納自在とし、洗浄槽１の上方開口部が筐体１６よりほぼ引き出された位置にて、洗浄槽１の下方の保護カバー１５に設けた第１の当接部１７と、筐体１６に設けた第２の当接部１８にて係止するよう構成したので、食器類２を洗浄槽１内へ収容するために洗浄槽１を引き出したとき、筐体１６を支持している支持台１２の傾きや、洗浄槽１の背面に固定されている給水経路１３や排水経路１４の張力に影響されることなく洗浄槽１を引き出した状態で保持することができるため、容易に食器類２を洗浄槽１内へ収容することができる。
【００１９】
なお、本実施例では、洗浄槽１の上方開口部が筐体１６よりほぼ引き出された位置にて、第１の当接部１７と第２の当接部１８にて係止するよう構成しているが、筐体１６から引き出された任意の位置にて、第１の当接部１７と第２の当接部１８にて係止するよう構成してもよく、この場合は、筐体１６を支持している支持台１２の傾きや、洗浄槽１の背面に固定されている給水経路１３や排水経路１４の張力に影響されることなく洗浄槽１を任意の位置で係止することができる。
【００２０】
また、本実施例では、保護カバー１５に第１の当接部１７を設けているが、洗浄槽１に第１の当接部１７を設けても同様の効果が得られる。
【００２１】
（実施例２）
図３および図４に示すように、洗浄槽１９は上方に開口部を設け、食器類を収容する食器かご（いずれも図示せず）を配置しており、この洗浄槽１９の側壁後部に筐体２０の側壁に向かって凸形状となるばね性を有する第１の当接部２１を一体に設けており、洗浄槽１９の移動に合わせて第１の当接部２１が前後へ移動可能に構成している。また、筐体２０の後部の側壁内方に洗浄槽１９の側壁に設けた第１の当接部２１と当接する第２の当接部２２を一体に設けている。
【００２２】
洗浄槽１９に設けた第１の当接部２１は、洗浄槽１９を筐体２０内へ収納した状態で、筐体２０に設けた第２の当接部２２より後方に位置するよう構成し、洗浄槽１９を引き出すとき、第１の当接部２１と第２の当接部２２は一旦係止し、一定以上の引き出し力で洗浄槽１９を引き出すことで、ばね性を有する第１の当接部２１がたわみ、係止状態が解除され、洗浄槽１９が引き出されるよう構成している。他の構成は従来例と同じである。
【００２３】
上記構成において作用を説明すると、収容した食器類２を洗浄するために洗浄槽１９を筐体２０内へ収納し、ハンドル１０をロックするとき、筐体２０を支持している支持台１２の傾きや、洗浄槽１９の背面に固定されている給水経路１３や排水経路１４の張力により、一旦筐体２０内へ収納された洗浄槽１９が筐体２０内から出ようとしても、洗浄槽１９に設けた第１の当接部２１と筐体２０に設けた第２の当接部２２が当接するため、洗浄槽１９を筐体２０内へ収納した状態で保持することができ、容易に食器類２を洗浄槽１９内へ収容し、ハンドル１０をロックすることができる。
【００２４】
このように本実施例によれば、洗浄槽１９が筐体２０内にほぼ収納された位置にて、第１の当接部２１と第２の当接部２２にて係止するよう構成しているので、収容した食器類２を洗浄するために洗浄槽１９を筐体２０内へ収納するとき、支持台１２の傾きや、洗浄槽１９の背面に固定されている給水経路１３や排水経路１４の張力に影響されることなく、洗浄槽１９を筐体２０内へ収納した状態で保持することができるため、容易にハンドル１０をロックすることができる。
【００２５】
なお、本実施例では、洗浄槽１９に第１の当接部２１を設けているが、保護カバー９に第１の当接部２１を設けても同様の効果が得られる。
【００２６】
【発明の効果】
以上のように、本発明によれば、上方に開口部を有し食器類を収容し筐体に収納自在とした洗浄槽を、上方開口部が筐体からほぼ引き出された位置にて、洗浄槽側に設けた第１の当接部と、筐体側に設けた第２の当接部にて係止するよう構成したから、筐体を支持している支持台の傾きや、洗浄槽の背面に固定されている給水経路や排水経路の張力に影響されることなく洗浄槽を上記の位置で係止することができるため、食器類の収容を容易に行うことができ、より使い勝手のよい食器洗い機を提供することができる。
【図面の簡単な説明】
【図１】  本発明の第１の実施例の食器洗い機の縦断面図
【図２】  同食器洗い機の洗浄槽を引き出した状態の縦断面図
【図３】  本発明の第２の実施例の食器洗い機の縦断面図
【図４】  同食器洗い機の要部拡大断面図
【図５】  従来の食器洗い機の縦断面図
【符号の説明】
１  洗浄槽
２  食器類
６  第１のレール
８  第２のレール
１６  筐体
１７  第１の当接部
１８  第２の当接部
【図１】
0003642333.tif 000002
【図２】
0003642333.tif 000003
【図３】
0003642333.tif 000004
【図４】
0003642333.tif 000005
【図５】
0003642333.tif 000006